(57)【要約】      （修正有）【課題】視認性及びファッション性に優れた表示バンドを提供する。【解決手段】表示バンド１００は、使用者の四肢に巻かれ、表面から裏面へ貫通する貫通孔１１７を有し長手方向に伸びる帯体１１１と、貫通孔に差し込まれる軸部１２２を有し、この軸部の一端に接続した表示部１２１及び軸部の他端に接続し軸部の断面積よりも大きな固定部１２３を有する表示鋲１２０と、を備える。【選択図】図２
0003201849.tif 000002
【実用新案登録請求の範囲】
【請求項１】
使用者の四肢に巻かれ、表面から裏面へ貫通する貫通孔を有し長手方向に伸びる帯体と、
前記貫通孔に差し込まれる軸部を有し、この軸部の一端に接続した表示部及び前記軸部の他端に接続し前記軸部の断面積よりも大きな固定部を有する表示鋲と、
を備える表示バンド。
【請求項２】
前記貫通孔の空間形状が多角形であり、
前記軸部の断面形状が前記多角形に合わせた形状である請求項１に記載の表示バンド。
【請求項３】
前記表示部の断面積は、前記軸部の断面積と同等若しくはより大きく、前記表示部は円形若しくは多角形の平板を含む請求項１又は請求項２に記載の表示バンド。
【請求項４】
前記表示部は、前記軸部方向に伸びる起立平板を有し、その起立平板が前記帯体の前記長手方向と交差する方向を向いている請求項１から請求項３のいずれか一項に記載の表示バンド。
【請求項５】
前記表示部は、前記円形若しくは多角形の平板から前記軸部方向に伸びる起立平板を有し、その起立平板が前記帯体の前記長手方向と交差する方向を向いている請求項３に記載の表示バンド。
【請求項６】
前記固定部は平板状に形成され、前記表示部は前記固定部に対して９０度より小さい角度に傾いて形成される請求項１から請求項３のいずれか一項に記載の表示バンド。
【請求項７】
前記帯体の一端と他端とに、それぞれ第１係止部と第２係止部とを備え、この第１係止部と第２係止部とが係止して前記帯体が前記四肢に係止する請求項１から請求項６のいずれか一項に記載の表示バンド。
【請求項８】
前記帯体が樹脂製若しくは革製であり、
前記表示鋲が樹脂製若しくは金属製である請求項１から請求項７のいずれか一項に記載の表示バンド。
【請求項９】
前記表示鋲の前記表示部は、光を発光する発光部と前記発光部に電力を供給する電池と前記電力の供給をオン・オフするスイッチとを有する請求項１から請求項３のいずれか一項に記載の表示バンド。
【請求項１０】
前記固定部は、前記軸部に着脱可能である請求項１から請求項９のいずれか一項に記載の表示バンド。
【考案の詳細な説明】
【技術分野】
【０００１】
本考案は、人間の四肢、例えば、手首などに環状に巻き付けて使用され、使用者に注意を促したりファッションを楽しんだりすることが可能なバンドに関する。
【背景技術】
【０００２】
各種の施設利用者又は作業者は、必要な情報を印刷したバンドを装着させて、施設の利用者に必要な情報へ注意を促したり、又は作業者がうっかりとしたミスをしないように注意を促したりしている。例えば、特許文献１に開示される手首に巻かれるリストバンドは、その帯体の表面に、小ループが植毛されているシート状の係止体が取付けられている。そしてその係止体に注意喚起の内容が書かれ且つその裏面には多数の小フックが植毛されたシート状の注意喚起表示部を貼り付けることができるようにしている。
【先行技術文献】
【特許文献】
【０００３】
【特許文献１】特開２００２−３７１４１２
【考案の概要】
【考案が解決しようとする課題】
【０００４】
しかしながら、特許文献１に開示されるリストバンドは、帯体の小ループ植毛にごみ等が付着することにより接着力が落ちると共にファッション性に劣ることになるという問題がある。また、注意喚起表示部が平面状に限定されることから作業状態によっては注意喚起の内容を確認することができず、リストバンドの効果を十分に発揮させることができない場合がある。さらに、小ループが植毛と小フックが植毛との結合では、結合状態を保つためにある程度の面積が必要であるため、複数の注意喚起表示部を係止体に取り付けることが困難であり、複数の事項を組み合わせた注意喚起をすることが難しい。
【０００５】
そこで本考案は、視認性及びファッション性に優れた表示バンドを提供することを目的とする。
【課題を解決するための手段】
【０００６】
第１観点の表示バンドは、使用者の四肢に巻かれ、表面から裏面へ貫通する貫通孔を有し長手方向に伸びる帯体と、貫通孔に差し込まれる軸部を有し、この軸部の一端に接続した表示部及び軸部の他端に接続し軸部の断面積よりも大きな固定部を有する表示鋲と、を備える。
【０００７】
第２観点の表示バンドは、第１観点において、貫通孔の空間形状が多角形であり、軸部の断面形状が多角形に合わせた形状である。
【０００８】
第３観点の表示バンドは、第１観点又は第２観点において、表示部の断面積が、軸部の断面積と同等若しくはより大きく、表示部は円形若しくは多角形の平板を含む。
【０００９】
第４観点の表示バンドは、第１観点から第３観点において、表示部が、軸部方向に伸びる起立平板を有し、その起立平板が帯体の長手方向と交差する方向を向いている。
【００１０】
第５観点の表示バンドは、第３観点において、表示部が、円形若しくは多角形の平板から軸部方向に伸びる起立平板を有し、その起立平板が帯体の長手方向と交差する方向を向いている。
【００１１】
第６観点の表示バンドは、第１観点から第３観点において、固定部が平板状に形成され、表示部が固定部に対して９０度より小さい角度に傾いて形成される。
【００１２】
第７観点の表示バンドは、第１観点から第６観点において、帯体の一端と他端とに、それぞれ第１係止部と第２係止部とを備え、この第１係止部と第２係止部とが係止して帯体が四肢に係止する。
【００１３】
第８観点の表示バンドは、第１観点から第７観点において、帯体が樹脂製若しくは革製であり、表示鋲が樹脂製若しくは金属製である。
【００１４】
第９観点の表示バンドは、第１観点から第３観点において、表示鋲の表示部が、光を発光する発光部と発光部に電力を供給する電池と電力の供給をオン・オフするスイッチとを有する。
【００１５】
第１０観点の表示バンドは、第１観点から第９観点において、固定部が、軸部に着脱可能である。
【考案の効果】
【００１６】
本考案によれば、視認性及びファッション性に優れた表示バンドを提供することができる。
【図面の簡単な説明】
【００１７】
【図１】表示バンド１００の斜視図である。
【図２】（ａ）は、ベルト部１１０の平面図である。  （ｂ）は、表示鋲１２０の斜視図である。  （ｃ）は、表示バンド１００の平面図である。  （ｄ）は、図２（ｃ）のＡ−Ａ断面図である。
【図３】右手首に取り付けられた状態の表示バンド１００が示された図である。
【図４】（ａ）は、表示バンド２００の平面図である。  （ｂ）は、表示鋲２２０ａの斜視図である。  （ｃ）は、ベルト部２１０の平面図である。  （ｄ）は、ベルト部３１０の平面図である。
【図５】左手首に取り付けられた表示バンド４００が示された図である。
【図６】（ａ）は、ベルト部４１０の平面図である。  （ｂ）は、表示鋲４２０ａの斜視図である。  （ｃ）は、ベルト部５１０の平面図である。  （ｄ）は、表示鋲５２０の斜視図である。  （ｅ）は、表示鋲６２０の斜視図である。  （ｆ）は、表示鋲７２０の斜視図である。
【図７】表示鋲８２０の斜視図である。
【考案を実施するための形態】
【００１８】
以下に、図面を参照して、本考案を適用したバンドの実施の形態を説明する。なお、本考案の範囲は以下の説明において特に本考案を限定する旨の記載がない限り、これらの形態に限られるものではない。
【００１９】
（第１実施形態）
＜表示バンド１００の構成＞
図１は、表示バンド１００の斜視図である。表示バンド１００は、ベルト部１１０及びジビッツ（登録商標）と呼ばれる表示鋲１２０を含んで構成されている。ベルト部１１０は、帯体１１１、美錠１１２、バネ棒１１３、突棒１１４、及び遊革１１５を有している。帯体１１１には突棒１１４を差し込む穴１１６と、表示鋲１２０を固定するための貫通孔１１７と、が形成されている。貫通孔１１７に固定される表示鋲１２０には表示バンド１００を装着した者への注意書き又はメッセージ等が表示されている。図１に示される表示バンド１００には表示鋲１２０ａ、表示鋲１２０ｂ、及び表示鋲１２０ｃの３つの表示鋲１２０が取り付けられており、各表示鋲には異なる注意書きが記載された状態が示されている。表示バンド１００は例えば人の手首に巻かれて用いられるが、以下の説明では、表示バンドが手首等に巻かれた際に外側に露出する面を表面とし、手首側に面する面を裏面として説明する。
【００２０】
図２（ａ）は、ベルト部１１０の平面図である。図２（ａ）では、帯体１１１の長辺が伸びる方向がＸ軸方向とされ、短辺が伸びる方向がＹ軸方向とされ、Ｘ軸及びＹ軸に垂直な方向がＺ軸方向とされている。また、裏面から表面に向かう方向を＋Ｚ軸方向としている。図２（ａ）に限らず、以降に示される図においても同様の定義により軸方向が示される。
【００２１】
図２（ａ）に示される帯体１１１の＋Ｘ軸側の端にはバネ棒１１３が取り付けられており、バネ棒１１３には突棒１１４及び美錠１１２が取り付けられている。図２（ａ）では遊革１１５が示されていないが、図１に示されるようにベルト部１１０に遊革１１５が取り付けられていても良い。また、以降に示されるベルト部においても遊革１１５が省略されるが、遊革１１５が取り付けられていても良い。帯体１１１の−Ｘ軸側の端には、帯体１１１を貫通する複数の穴１１６がＸ軸方向に並んで形成されている。ベルト部１１０ではバネ棒１１３、突棒１１４、及び美錠１１２が帯体１１１の一端に形成される第１係止部１１８となり、複数の穴１１６が帯体１１１の他端に形成される第２係止部１１９となり、第１係止部１１８と第２係止部１１９とが図１に示されるように互いに係止して手首に係止する。また、帯体１１１の中程には円形の複数の貫通孔１１７がＸ軸方向に並んで形成されている。帯体１１１は、例えばシリコン又はゴム等の樹脂、金属、革、又は繊維等の素材で形成されることができる。帯体１１１の長さは例えば２０ｃｍから３０ｃｍの間であり、帯体１１１の幅は例えば１５ｍｍから１００ｍｍの間で形成される。
【００２２】
図２（ｂ）は、表示鋲１２０の斜視図である。表示鋲１２０は、表示部１２１、軸部１２２、及び固定部１２３を有している。表示部１２１は帯体１１１の表面側に取り付けられ、注意を喚起する文字、図形又はメッセージ等を表示する表示面１２４を有している。表示面に表示される文字、図形等は、例えば表示面１２４の表面を彫って墨入れし、凸文字とし、又は文字等を印刷すること等により形成される。軸部１２２は円柱状に形成されおり、その断面の円の大きさは貫通孔１１７の大きさと略同じ又は若干小さい大きさに形成されている。軸部１２２の一端は表示部１２１の下部に取り付けられ、帯体１１１の貫通孔１１７内に配置されることにより表示鋲１２０がＸＹ平面内で動かないように表示鋲１２０を帯体１１１に固定する。固定部１２３は軸部１２２の他端に取り付けられ、表示鋲１２０が帯体１１１から容易に外れないように表示鋲１２０を帯体１１１に固定する。固定部１２３は貫通孔１１７から抜けないように貫通孔１１７の大きさよりも大きく形成される。表示鋲１２０は、例えば樹脂、金属等により形成される。
【００２３】
図２（ｃ）は、表示バンド１００の平面図である。図２（ｃ）では、図２（ａ）に示される帯体１１１の貫通孔１１７に３つの表示鋲１２０が取り付けられた状態が示されている。帯体１１１には４つの貫通孔１１７が形成されているため、最大で４つの表示鋲１２０をベルト部１１０に取り付けることができる。また、表示鋲１２０を取り付ける貫通孔１１７を選択することで、表示バンド１００を手首に巻いた状態で使用者が見やすい位置に表示鋲１２０を取り付けることができる。
【００２４】
図２（ｄ）は、図２（ｃ）のＡ−Ａ断面図である。固定部１２３は、図２（ｄ）に示されるように表示鋲１２０が貫通孔１１７から容易に抜けないように、貫通孔１１７よりも大きく形成される。表示鋲１２０を貫通孔１１７に固定する場合には、例えば固定部１２３を貫通孔１１７に押し込んで通すことが考えられる。この場合は、帯体１１１が貫通孔１１７を押し広げることができるような柔軟な素材で形成され、又は固定部１２３が変形して貫通孔１１７を通ることができるような柔軟な素材で形成される。また、貫通孔１１７の一部に切込みが形成されて固定部１２３を容易に通すことができるようにしても良い。さらに、固定部１２３を軸部１２２から切り離し可能に形成して軸部１２２を貫通孔１１７に挿入した後に再度固定部１２３を軸部１２２に取り付ける、又は軸部１２２を表示部１２１から切り離し可能に形成して軸部１２２を貫通孔１１７に挿入した後に再度表示部１２４を軸部１２２に取り付けるように構成しても良い。
【００２５】
＜表示バンド１００の使用例＞
図３は、右手首に取り付けられた状態の表示バンド１００が示された図である。図３では、例としてボウリングを行う場合の表示バンド１００の使用状態が示されており、図３の状態は右手にボウリングのボール１０を持って構えている投球直前の右手首２０の状態が示されている。図３では点線でボールを投球する前の右手首２０が示されており、右手首２０の内側に表示鋲１２０が配置されるように表示バンド１００が右手首２０に巻かれている。表示バンド１００には３つの表示鋲１２０が取り付けられており、左から表示鋲１２０ａ、表示鋲１２０ｂ、表示鋲１２０ｃとしている。
【００２６】
表示鋲１２０ａの表示部１２１ａには「立ち位置」と表示され、表示鋲１２０ｂの表示部１２１ｂには「右肩前」と表示され、表示鋲１２０ｃの表示部１２１ｃには「スパット位置」と表示されている。これらの３つの表示鋲１２０は、投球に際して注意する順番に左から並べられている。例えば、投球者は、まず表示部１２１ａの「立ち位置」の表示をみて現在投球者が立っている立ち位置が正しいか否かを確認する。次に投球者は、表示部１２１ｂの「右肩前」の表示をみて右肩前にボール１０を構えることを確認することにより投球前に投球フォームを確認する。さらに投球者は表示部１２１ｃの「スパット位置」の表示を見て投球目標となるスパット位置を確認する。
【００２７】
ボウリングにおいて、投球者は投球前に紙に書かれたチェック項目を確認することができる。しかし、投球前に紙に書かれたチェック項目を確認しても、その後にボール１０を持って投球位置に立った時点でチェック項目の内容を忘れ、又はチェック項目をチェックすること自体を忘れてしまう場合がある。さらに、チェック項目を思い出すことに労力を使い、集中力が途切れてしまう場合がある。特に複数のチェック項目が存在する場合にはチェック項目を覚えること自体が大きなストレスとなり、これが良いパフォーマンスを発揮することを妨げる場合がある。
【００２８】
これに対して図３に示される表示バンド１００では、投球直前に視界に入る位置に表示バンド１００を巻いているためチェック項目をチェックすること及びチェック項目の内容を忘れてしまうことを防ぐことができる。また、投球前にチェック項目を暗記する必要がないため、投球者は投球することに集中することができる。さらに、表示バンド１００では複数のチェック項目を表示することができ、図３に示されるように左から右へ順にチェック項目を確認すること等によりチェック項目をチェックする順番も特定することができるため好ましい。
【００２９】
また、表示バンド１００では、表示鋲１２０を入れ替えることにより、様々なチェック項目を表示させることができる。そのため、他の競技を行う場合にはその競技に合わせて表示鋲１２０を入れ替え、また、一つの課題をクリアしたら他の課題を表示する表示鋲１２０に入れ替えて使用することができる。さらに、表示バンド１００では、表示鋲１２０を帯体１１１の１つの貫通孔１１７に強力に固定することができるため、帯体１１１に複数の貫通孔１１７を形成することで複数の表示鋲１２０を帯体１１１に取り付けて使用し易い。
【００３０】
（第２実施形態）
表示バンド１００では、表示鋲の表示部の形状が様々な形状に形成されても良く、帯体が様々な構成に形成されても良い。以下に、表示鋲及び帯体の変形例について説明する。
【００３１】
＜表示バンド２００の構成＞
図４（ａ）は、表示バンド２００の平面図である。表示バンド２００は、図２（ａ）に示されるベルト部１１０に表示鋲２２０ａ、表示鋲２２０ｂ、及び表示鋲２２０ｃが取り付けられている。表示鋲２２０ａは、横に長く、２つの貫通孔１１７に跨って取り付けられている。表示鋲２２０ｂ及び表示鋲２２０ｃは帯体１１１において表示鋲２２０ａの両側に取り付けられており、表示部が星型に形成されている。表示鋲２２０ｂ及び表示鋲２２０ｃは、主に表示バンド２００のファッション性を向上させるための装飾として用いられている。また、表示鋲２２０ｂ及び表示鋲２２０ｃは、表示鋲２２０ｂ及び表示鋲２２０ｃの文字を組み合わせて読ませるように、各表示鋲に１つの文字が記載されている。
【００３２】
図４（ｂ）は、表示鋲２２０ａの斜視図である。表示鋲２２０ａは横に長い１つの表示部２２１を有しており、表示面２２４の面積が広く形成されている。また、表示部２２１には２本の軸部１２２が取り付けられており、各軸部１２２には固定部１２３が取り付けられている。表示鋲２２０ａは、表示面２２４の面積が広いため、表示面２２４に長い文章を記載することができる。また、表示部２２１が大きいため、表示面２２４等に文字の他にキャラクター等の絵を記載し又は装飾を施してファッション性を向上させることができる。また、表示部が大きくなる場合には表示鋲２２０ａの帯体１１１への固定が不安定になり易いが、表示鋲２２０ａは２本の軸部１２２を有することにより、帯体１１１に安定して固定することができる。
【００３３】
図４（ａ）に示されるように、表示バンドでは表示鋲の大きさ、形状、文字を様々に変え、さらに装飾を施すことにより表示バンドのファッション性及び表示の表現力を向上させることができる。また、帯体についても表示鋲に合うように色彩、材質、形状等を変えてもよい。さらに、表示面は表示鋲の形状に合わせて、様々な多角形、曲面、絵、キャラクター等の形状を表す平面とすることができ、また、表示面は曲面とされても良く、様々な凹凸が形成されても良い。
【００３４】
＜ベルト部２１０及びベルト部３１０の構成＞
図４（ｃ）は、ベルト部２１０の平面図である。ベルト部２１０では、表示バンドの手首への固定の際に、マジックテープ（登録商標）等の面ファスナーを用いることができる。図４（ｃ）に示されるベルト部２１０では、例えば左端の表面にフック状に起毛されたフック面２１２を貼り付け、右端の裏面にループ状に起毛されたループ面２１３を貼り付け、フック面２１２とループ面２１３とを互いに押し付けることにより手首に取り付けることができる。この場合は、ループ面２１３が第１係止部となり、フック面２１２が第２係止部となって第１係止部と第２係止部とが互いに係止することにより手首に表示バンドを係止することになる。
【００３５】
図４（ｄ）は、ベルト部３１０の平面図である。ベルト部３１０は、ジャンパーホック又はバネホック等の雌ホックと雄ホックとを結合することにより互いを固定する金属ホックにより手首に固定する帯体である。図４（ｄ）に示されるベルト部３１０は、凹部（不図示）を有する雌ホック３１２が帯体３１１の左端に取り付けられており、凸部（不図示）を有する雄ホック３１３が帯体３１１の右端に取り付けられている。ベルト部３１０を手首に取り付ける際には、ベルト部３１０を手首に巻いた後に雌ホック３１２の凹部に雄ホック３１３の凸部を嵌め込むことにより帯体３１１を手首に固定することができる。
ベルト部３１０では、雄ホック３１３が第１係止部となり、雌ホック３１２が第２係止部となって第１係止部と第２係止部とが互いに係止することにより手首に表示バンドを係止することになる。図４（ｄ）に示されるベルト部３１０では、雌ホック３１２が１つのみ形成されているが、複数の雌ホック３１２を取り付けて手首に巻く場合の長さ調節をすることができるようにしても良い。
【００３６】
（第３実施形態）
表示バンド１００のように、表示面が帯体の表面に対して略平行である表示鋲では、行うスポーツ等によっては表示面が見難い場合がある。以下に、表示面が様々な方向に向いている表示鋲及びこのような表示鋲を有する表示バンドについて説明する。
【００３７】
＜表示バンド４００の構成＞
図５は、左手首に取り付けられた表示バンド４００が示された図である。図５では、ゴルフを行う場合の表示バンド４００の使用状態が示されており、図５の状態はゴルフクラブ３０を持って構えている状態が示されている。表示バンド４００は、ベルト部４１０及び表示鋲４２０を含んでいる。図５では２つの表示鋲４２０が示されており、それぞれ表示鋲４２０ａ、表示鋲４２０ｂとしている。表示鋲４２０の表示面はベルト部４１０の表面に略平行ではなく、図５に示されるように、使用者がゴルフクラブ３０を握って構えた場合に表示鋲４２０の表示面が使用者に見やすい向きに向くように形成されている。
【００３８】
図６（ａ）は、ベルト部４１０の平面図である。ベルト部４１０は、図４（ｃ）に示されるベルト部２１０において貫通孔１１７の代わりに貫通孔４１７が形成されている。貫通孔４１７は、孔の形状が六角形に形成されている。
【００３９】
図６（ｂ）は、表示鋲４２０ａの斜視図である。表示鋲４２０ａは、表示部４２１、軸部４２２、及び固定部１２３を有している。軸部４２２はＺ軸方向に伸び、表示部４２１はＺ軸方向に伸びる起立平板となっている。表示部４２０ａには表示面４２４があり、表示面４２４は表示鋲４２０ａがベルト部４１０に装着された場合にベルト部４１０のＸＹ平面に対して垂直に配置されるように形成されている。これにより、図５に示されるようにゴルフクラブ３０を持って構えた状態で、使用者は姿勢を崩さずに表示面４２４を見ることができる。
【００４０】
表示鋲４２０ａの軸部４２２は六角柱状に形成されており、貫通孔４１７に挿入されて固定される。六角柱に形成された軸部４２２は、六角柱の各面が貫通孔４１７の六角形の各辺に向かい合うように配置されることにより、表示鋲４２０ａが帯体４１１に取り付けられた状態で自由に回転しないように固定される。
【００４１】
表示バンド４００では、表示鋲４２０の表示面４２４を貫通孔４１７の六角形の各辺に向く６方向の好きな方向に向けて固定することができるため、図５のようにゴルフクラブ３０を構えている状態で表示面４２４を見やすくなる向きに向けて表示部４２１を固定することができる。また、貫通孔の形状は六角形に限らず、様々な多角形、楕円、星形等の様々な形状に形成されても良い。この場合は、軸部の断面形状を貫通孔の形状に合わせて形成することにより、表示鋲がＸＹ平面内で自由に回転しないように固定することができる。さらに、表示鋲を表示部が軸部に対してＸＹ平面内で自由に回転し固定することができるように形成することで、表示面をＸＹ平面に平行な自由な方向に向けることができるようにしても良い。また、後述される表示鋲５２０（図６（ｄ）参照）の全体を表示部とし、該表示部の固定部５２３として表される部分の下部に軸部４２２及び固定部１２３を取り付けて表示鋲としても良い。
【００４２】
＜表示バンド５００の構成＞
図６（ｃ）は、ベルト部５１０の平面図である。ベルト部５１０は帯体５１１を有しており、帯体５１１は図４（ｃ）に示される帯体１１１において貫通孔１１７の代わりに貫通孔５１７が形成されている。貫通孔５１７は矩形形状であり、貫通孔５１７の長辺がＸ軸に対して角度αだけ傾くように形成されている。
【００４３】
図６（ｄ）は、表示鋲５２０の斜視図である。表示鋲５２０は、表示部５２１及び軸部５２２が略直方体形状に形成され、軸部５２２の断面形状及び大きさは貫通孔５１７と略同じ又は貫通孔５１７よりもやや小さく形成されている。軸部５２２は表示部５２１の−Ｚ軸側に形成され、表示部５２１及び軸部５２２の断面形状及び断面の大きさは互いに同じであり、表示部５２１及び軸部５２２は帯体５１１の貫通孔５１７に略隙間なく挿入することができる大きさ、形状に形成されている。また、軸部５２２の−Ｚ軸側には円盤状であり貫通孔５１７の大きさよりも大きい固定部５２３が形成されている。表示鋲５２０は、帯体５１１の貫通孔５１７の裏面から表示部５２１を挿入し、軸部５２２が貫通孔５１７内にある状態で表示鋲５２０が帯体５１１に固定される。
【００４４】
表示バンド５００は、ベルト部５１０及び表示鋲５２０により形成される。表示バンド５００が使用される状態では、固定部５２３が使用者の手首と帯体５１１とに挟まれて固定されるため、使用時に表示面５２４が傾き、又は安定せずにぐらつくことが防がれている。表示バンド５００は、図５に示されるように表示バンド５００の使用者がゴルフクラブ３０を構えた状態で使用者に表示面５２４が見易くなるように貫通孔５１７の角度αが調整されており、スイング直前にストレスなく表示面５２４を見ることができるため好ましい。また、表示バンド５００は、ゴルフクラブ３０を構えた状態で表示面５２４が正しく見えるように角度αを形成することで、使用者のゴルフクラブ３０を構えた姿勢を矯正するように使用しても良い。
【００４５】
＜表示鋲６２０の構成＞
図６（ｅ）は、表示鋲６２０の斜視図である。表示鋲６２０は、貫通孔５１７を通る大きさに形成され略直方体形状である表示部６２１と、貫通孔５１７を通り、貫通孔５１７と略同じ大きさ、略同じ形状の断面を有する軸部６２２と、略直方体に形成されている固定部６２３と、を有している。表示鋲６２０は、表示鋲５２０と同様に帯体５１１に装着されて用いられる。表示鋲６２０は図６（ｄ）に示される表示鋲５２０の変形例であり、固定部の形状は円盤状ではなく直方体の板状でも良く、軸部は固定部の中央ではなく固定部の端に接続されても良いことを示している。その他にも、軸部は固定部の様々な箇所に固定されることができ、固定部は様々な形状に形成されてもよい。
【００４６】
＜表示鋲７２０の構成＞
図６（ｆ）は、表示鋲７２０の斜視図である。表示鋲７２０は、貫通孔５１７を通る大きさに形成され略直方体形状である表示部７２１と、貫通孔５１７を通り、貫通孔５１７と略同じ大きさ、略同じ形状の断面を有する軸部７２２と、略直方体に形成されている固定部７２３と、を有している。表示鋲７２０は、表示鋲５２０と同様に帯体５１１に装着されて用いられる。表示鋲７２０は、表示部７２１と固定部７２３とのなす角度が直角ではない角度βとなるように形成されており、表示部７２１の表示面７２４も固定部７２３に対して角度βとなるように形成される。表示鋲７２０は表示面７２４が角度βに傾くように形成されることにより、図５のような使用状態で表示面７２４をより見やすくすることができる。また、表示鋲７２０は、針金のように自由自在に形状を変形させることが可能で、変形後もその形を保持できる金属、プラスチック等の材料で形成されても良い。この場合、角度βを調節して使用できるため好ましい。
【００４７】
＜表示鋲８２０の構成＞
図７は、表示鋲８２０の斜視図である。表示鋲８２０は、表示部８２１、軸部１２２、固定部１２３により形成されている。表示部８２１は、表示部８２１内には光を発光する発光部となるＬＥＤランプ８２６及び発光部に電力を供給する電池８２７が内蔵されており、表示部８２１の表面にはスイッチ８２５が形成され、スイッチ８２５をオン・オフすることでＬＥＤランプ８２６を点灯・消灯させることができる。また、表示部８２１の少なくとも表示面８２４は、光を通す素材で形成される。
【００４８】
表示鋲８２０では、夜にマラソン等をする場合でも、ＬＥＤランプ８２６を点灯させて表示部８２１の表示面８２４を照らして走ることにより、表示面８２４を容易に見ることができる。また、ＬＥＤランプ８２６を点灯させることにより、車等に使用者の存在を明らかにして事故などを減らすことができる。さらに、表示バンド８２０を腕、脚などの四股に取り付けてＬＥＤランプ８２６を点灯又は点滅させることで車等に対する注意喚起の効果を大きくしても良い。
【００４９】
以上、本考案の最適な実施形態について詳細に説明したが、当業者に明らかなように、本考案はその技術的範囲内において実施形態に様々な変更・変形を加えて実施することができる。また、各実施形態の特徴を様々に組み合わせて実施されてもよい。
【００５０】
例えば、表示バンドは行う競技等に応じて手首以外の足首、腕、脚等の四股に取り付けてもよい。また、表示バンドはスポーツ等の競技以外にも、歌唱時、楽器の演奏時などに用いても良い。
【００５１】
また、上記実施形態では、ベルト部１１０、２１０、３１０、４１０では貫通孔が４つの場合が示され、ベルト部５１０では貫通孔が３つの場合が示されたが、表示バンドの貫通孔の数はこれらに限られず必要に応じて適宜調整され、表示バンドに取り付けることができる表示鋲の数も適宜調整されることができる。
【符号の説明】
【００５２】
１０  …  ボール
２０  …  右手首
３０  …  ゴルフクラブ
１００、２００、４００、５００  …  表示バンド
１１０、２１０、３１０、４１０、５１０  …  ベルト部
１１１、３１１、４１１、５１１  …  帯体
１１２  …  美錠
１１３  …  バネ棒
１１４  …  突棒
１１５  …  遊革
１１６  …  穴
１１７、４１７、５１７  …  貫通孔
１１８  …  第１係止部
１１９  …  第２係止部
１２０、１２０ａ、１２０ｂ、１２０ｃ、２２０ａ、２２０ｂ、２２０ｃ、４２０、４２０ａ、４２０ｂ、５２０、６２０、７２０、８２０  …  表示鋲
１２１、２２１、４２１、５２１、６２１、７２１、８２１  …  表示部
１２２、４２２、５２２、６２２、７２２  …  軸部
１２３、５２３、６２３、７２３  …  固定部
１２４、２２４、４２４、５２４、６２４、７２４、８２４  …  表示面
２１２  …  フック面
２１３  …  ループ面
３１２  …  雌ホック
３１３  …  雄ホック
８２５  …  スイッチ
８２６  …  ＬＥＤランプ
８２７  …  電池
【図１】
0003201849.tif 000003
【図２】
0003201849.tif 000004
【図３】
0003201849.tif 000005
【図４】
0003201849.tif 000006
【図５】
0003201849.tif 000007
【図６】
0003201849.tif 000008
【図７】
0003201849.tif 000009